(57)【特許請求の範囲】
【請求項１】
送信されてきた信号を受信する受信手段と、
上記受信手段からの出力信号を復調する復調手段と、
ユーザによって操作される回転操作部及び押し込み操作部からなる操作手段と、
上記復調手段からの出力データが表示されるとともに、文字入力時には、複数の文字からなる文字集合が表示されるとともに切り換え表示マークが表示される第１の表示部と、上記第１の表示部に表示されている上記文字集合のうち選択された文字が表示される第２の表示部とを有する表示手段と、
上記回転操作部の回転によって、選択する文字または上記切り換え表示マークを示すポインタを移動し、上記文字または上記切り換え表示マークの選択を上記押し込み操作部の押し込みによって有効とし、上記切り換え表示マークの選択が有効にされると、上記文字集合を他の文字集合の表示に切り換える制御手段とを備えている携帯端末装置。
【請求項２】
上記切り換え表示マークは、上記第１の表示部に表示される請求の範囲第１項記載の携帯端末装置。
【請求項３】
上記切り換え表示マークは、矢印を示すマークである請求の範囲第２項記載の携帯端末装置。
【請求項４】
上記装置は、更に上記操作手段によって決定された文字に関するデータを記憶する記憶部を備えている請求の範囲第１項記載の携帯端末装置。
【請求項５】
上記装置は、更に記憶部に記憶されているデータを送信する送信手段とを備えている請求の範囲第４項記載の携帯端末装置。
【請求項６】
上記送信手段は、上記記憶部に記憶されているデータに基づいてデュアルトーン信号を発生する請求の範囲第５項記載の携帯端末装置。
【請求項７】
複数の文字からなる複数の文字集合データが記憶されている記憶部と、
上記記憶部から読み出された文字集合データに基づく表示とともに切り換え表示マークが表示される第１の表示部と上記第１の表示部に表示されている上記文字集合データのうち選択された文字が表示される第２の表示部とを有する表示部と、
ユーザによって操作される回転操作部及び押し込み操作部からなる操作部と、
上記回転操作部の回転によって、選択する文字または上記切り換え表示マークを示すポインタを移動し、上記文字または上記切り換え表示マークの選択を上記押し込み操作部の押し込みによって有効とし、上記切り換え表示マークの選択が有効にされると、上記文字集合データに基づく表示を他の文字集合データに基づく表示に切り換える制御部とを備えている文字選択入力装置。
【請求項８】
上記切り換え表示マークは、上記第１の表示領域に表示される請求の範囲第７項記載の文字選択入力装置。
【請求項９】
上記切り換え表示マークは、矢印を示すマークである請求の範囲第８項記載の文字選択入力装置。
【請求項１０】
上記装置は、更に上記操作部によって決定された文字に関するデータを記憶する更なる記憶部を備えている請求の範囲第７項記載の文字選択入力装置。
【請求項１１】
複数の文字からなる複数の文字集合データを記憶部に記憶し、
上記記憶部から読み出された文字集合データに基づく表示とともに切り換え表示マークを第１の表示部に表示し、上記第１の表示部に表示されている上記文字集合データのうち選択された文字を第２の表示部に表示し、
回転操作部及び押し込み操作部からなる操作部によって操作し、
上記回転操作部の回転によって、選択する文字または上記切り換え表示マークを示すポインタを移動し、上記文字または上記切り換え表示マークの選択を上記押し込み操作部の押し込みによって有効とし、上記切り換え表示マークの選択が有効にされると、上記第１の表示部に表示される上記文字集合を他の文字集合の表示に切り換える文字選択入力方法。
【発明の詳細な説明】
技術分野
この発明は、文字入力を行なえるようにした携帯端末装置並びにこのような携帯端末装置の文字入力に用いて好適な文字選択入力装置及び文字選択入力方法に関する。
背景技術
ページャーのような携帯用端末装置に文字を入力するような場合がある。ページャーのような携帯用の端末装置では、小型、軽量化と、操作性の向上を図るために、多数のキーを配設することができない。このような多数のキーを配設できないページャーでは、従来、次のような文字入力方法が考えられている。
まず、所定のボタンを押すと、入力位置に文字候補が１文字表示され、そのボタンを更に押すと、次の文字候補が表示され、目的の文字が表示されるまでユーザが所定のボタンを押し続けることによって、目的の文字が入力されるような方法が考えられる。このような方法では、１つのキーで文字入力が行なえるという利点がある。
ところが、この方法では、目的の文字が表示されるまで所定のボタンを押し続けるため、目的の文字を入力するのに、最悪の場合、ユーザは、文字数分（例えば日本語の場合、５０音＋数字、記号など）だけ、キーを押し続ける必要があり、操作性が良くない。
また、他の方法として、画面の一部の領域に１０文字程度の候補となる文字を表示させ、この文字候補の中から、ユーザが目的の文字を探し、その文字を選択することによって、文字入力を行なう入力方法が考えられる。このような方法では、候補となる文字の中から目的の文字を選べるので、上述のボタンを押す毎に次の文字候補を１文字ずつ表示させる方法に比べて、キーの操作回数が減少され、操作性が向上する。
ところが、この方法では、候補となる文字を表示させるためのキーの他に、表示された文字の中から目的とする文字を選択するためのキーが必要になり、キーの数が増加するという問題がある。目的とする文字を選択するためのキーとしては、左右キーや上下キーを用いることが考えられるが、左右キーや上下キーでは、少なくとも４つ以上のキーを配設する必要がある。また、このような左右キーや上下キーで文字を選択するのでは、誤操作しやすい。
また、ページャーには、ロータリーエンコーダとスイッチとからなる回転つまみが設けられているものがある。このような回転つまみを用いて、文字入力を行なうことが考えられる。
すなわち、このような方法では、１つの文字グループ内の文字が表示領域の一部に表示される。ユーザは、この文字グループ内の文字から目的の文字をロータリーエンコーダとスイッチとからなる回転つまみを用いて選択する。目的とする文字がその文字グループ内にない場合には、次の文字グループに切り換えられる。文字グループを切り換えると、次の文字グループ内の文字が表示される。ユーザは、この文字グループの文字から目的の文字をロータリーエンコーダとスイッチとからなる回転つまみを用いて選択する。目的とする文字がその文字グループ内にない場合には、更に次の文字グループに切り換えられる。
このような方法では、キーを使わずに文字が入力できるので、操作性が向上される。
ところが、複数の文字グループを切り換えるようにした場合には、文字グループを切り換える操作が必要になる。このため、回転つまみだけでは文字入力が行なえず、文字グループを切り換えるためのキーを設け、このキーを操作して文字グループを切り換える必要がある。
従って、この発明の目的は、キーやボタンを必要とせず、操作性の良い文字入力が行なえるようにした携帯端末装置並びにこのような携帯端末装置の文字入力に用いて好適な文字選択入力装置及び文字選択入力方法を提供することにある。
発明の開示
この発明は、送信されてきた信号を受信する受信手段と、受信手段からの出力信号を復調する復調手段と、ユーザによって操作される操作手段と、復調手段からの出力データが表示される表示手段と、表示手段に複数の文字からなる文字集合を表示するとともに操作手段の操作によって表示手段に表示されている複数の文字集合を切り換えるための切り換え表示マークを表示させる制御手段とを備えている携帯端末装置である。
この発明は、複数の文字からなる複数の文字集合データが記憶されている記憶部と、記憶部から読み出された文字集合データに基づく表示が行なわれる表示部と、ユーザによって操作される操作部と、表示部に記憶部に記憶されている複数の文字集合データを切り換えるための切り換えマークを表示するとともに、切り換えマークの操作部による操作結果に基づいて記憶部に記憶されている複数の文字集合データのうちのひとつの文字集合データを読み出して表示部に表示させる制御部を備えている文字選択入力装置である。
この発明は、記憶部に記憶されている複数の文字からなる文字集合のうちひとつの文字集合を表示するとともに、複数の文字集合データを切り換えて表示するための切り換えマークを表示し、操作部を操作して表示されている文字集合のうちのいずれか少なくともひとつの文字を選択もしくは決定を行い、操作部によって切り換えマークが操作されたときには表示されている文字集合から他の文字集合に切り換えて表示を行なう文字の選択入力方法である。
ディスプレイに文字グループが表示され、その文字グループの中には、文字グループを切り換えるためのマークがソフトキーとして表示される。ロータリーエンコーダからなる回転つまみの回転動作によって、文字グループの中からそのマークを選択し、押し込み動作によって、文字グループの切り換えを行うことができる。したがって、ボタンやキーを増加させる必要がなく、回転つまみだけで文字入力を行なうことができ、操作性の向上が図れる。
【図面の簡単な説明】
第１図はこの発明が適用されたページャーの外観構成を示す斜視図であり、第２図はディスプレイの説明に用いる略線図であり、第３図Ａ及び第３図Ｂは回転つまみの説明に用いる斜視図であり、第４図はこの発明が適用されたページャーの構成を示すブロック図であり、第５図Ａ及び第５図Ｂはメッセージの表示画面の説明に用いる略線図であり、第６図Ａ〜第６図Ｃは受信したメッセージの表示画面の説明に用いる略線図であり、第７図Ａ〜第７図Ｅはメモ機能の表示画面の説明に用いる略線図であり、第８図は文字グループの説明に用いる略線図である。
発明を実施するための最良の形態
以下、この発明の一実施例について図面を参照して説明する。第１図は、この発明が適用されたページャー１の外観構成を示すものである。第１図に示すように、この発明が適用されたページャー１には、ディスプレイ２と、ロータリーエンコーダとスイッチとからなる回転つまみ３と、エスケープキー４とが設けられている。
ディスプレイ２は、各種の設定状態や動作状態を示す指示マークを表示したり、受信したメッセージの文字やメモの文字を表示したりするのに用いられる。
第２図は、ディスプレイ２の表示画面を示すものである。ディスプレイ２には、各種の指示マーク５１〜５７が表示される。
指示マーク５１は、サービスエリア内にあるか否かを示すものである。指示マーク５２は、ロックされているメッセージであることを示すものである。指示マーク５３は、未読メッセージを示すものである。指示マーク５４は、バッテリー容量が不足していることを示すものである。指示マーク５５は、アラームクロックがセットされていることを示すものである。指示マーク５６及び５７は、表示されているメッセージやメニューが上方及び下方に続くことを示すものである。指示マーク５８は、着信時に着信音が発生されることを示すものであり、指示マーク５９は、着信時にバイブレーションが発生されることを示すものである。
また、ディスプレイ２には、表示領域６０〜６２が設けられる。表示領域６０は、日時／メッセージ番号を表示するものである。スタンバイ時には、ここに、日時が表示される。また、時間を１２時間モードで表示させるときには、表示領域６１に、「ＡＭ」／「ＰＭ」の表示がなされる。
表示領域６２には、メッセージやメモの文字が表示される。この文字表示用の表示領域６２としては、例えば、１ライン２０文字で、４ライン分の、最大、８０文字の領域が確保されている。
第１図において、回転つまみ３は、ディスプレイ２の表示をスクロールさせたり、アイテムを選択したりするのに用いられる。また、後に説明するように、この発明が適用されたページャー１では、電話番号や名前等を保存しておくようなメモ機能が備えられている。このメモ機能を使うときの文字入力にも、回転つまみ３が用いられる。
回転つまみ３は、ロータリーエンコーダと、スイッチとで構成されており、図３図Ａで矢印５で示すような押し込み操作と、第３図Ｂで矢印６で示すような回転操作とが行なえる。ディスプレイ２の表示をスクロールさせたり、アイテムを選択するときには、第３図Ｂに示すような回転操作が用いられる。選択されたアイテムをセットするときには、第３図Ａに示すような押し込み操作が用いられる。
エスケープキー４は、ページャーをオンしたり、前の画面に戻るときに操作するのに用いられる。
第４図は、この発明が適用されたページャー１の内部構成を示すものである。
第４図において、ページャー会社から送信される電波は、アンテナ１１で受信される。アンテナ１１の受信信号は、受信部１２に供給される。受信部１２で、所定の搬送波周波数の受信信号が選択される。
受信部１２の出力が復調部１３に供給される。復調部１３は、例えば、ＦＳＫ（Frequency Shift Keying）の復調処理を行なうものである。復調部１３において、受信信号からメッセージのデータが復調される。復調されたメッセージデータは、マイクロコンピュータ１４に送られる。
マイクロコンピュータ１４は、このページャー１の全体を制御している。マイクロコンピュータ１４に対して、ロータリーエンコーダ１８とスイッチ１９とからなる回転つまみ３から入力が与えられると共に、エスケープキー４から入力が与えられる。また、マイクロコンピュータ１４からの出力がディスプレイ２に供給されると共に、出力部１７に供給される。出力部１７は、例えば着信を知らせるブザーやスピーカ、着信時に振動するバイブレータである。
ページャー１に対して呼び出しがあると、ページャー会社からページャー１に向けて、メッセージが送信される。このメッセージデータは、例えば、ＦＳＫ変調され、周波数９００ＭＨｚ帯の電波を使って送られる。この信号は、アンテナ１１を介して受信部１２に送られ、復調部１３で、この信号からメッセージデータが復調される。そして、このメッセージデータは、マイクロコンピュータ１４に送られる。
マイクロコンピュータ１４は、メッセージデータを受け取ると、このメッセージデータをディスプレイ２に表示させると共に、メッセージを受け取ったことを示す信号を出力部１７に送る。これにより、着信を知らせるブザー音が発生され又は着信を知らせるバイブレーションが発生される。そして、送られてきたメッセージがディスプレイ２に表示される。
また、送られてきたメッセージデータは、メモリ１５に保存しておくことができる。この保存されているメッセージデータは、ユーザが回転つまみ３やエスケープキー４を操作することにより、ディスプレイ２に表示させることができる。
つまり、第５図は、メッセージを受信したときのディスプレイ２の表示画面を示すものである。メッセージを受信すると、第５図Ａに示すように、ディスプレイ２の表示領域６２に、受信したメッセージの文字が表示される。また、ディスプレイ２の表示領域６０には、メッセージ番号が表示される。メッセージが更に続く場合には、指示マーク５７が表示される。回転つまみ３を回転させると、表示がスクロールされ、第５図Ｂに示すように、これに続くメッセージを表示される。そして、メッセージの最後にはメッセージタイプやタイムスタンプが表示される。
メモリ１５に保存してあるメッセージを読み出すときには、第６図Ａに示すように、スタンバイモードの間に、回転つまみ３が回転され、パーソナルメッセージ（PERSONAL MESSAGES）又はインフォメーションサービス（INFORMATION SERVICE）が選択される。選択されたアイテムは、ハイライトで表示される。ハイライト表示としては、囲み文字、強調文字、アンダーライン、反転文字等が考えられる。パーソナルメッセージ又はインフォメーションサービスが選択されたら，回転つまみ３が押し込まれる。
回転つまみ３によりパーソナルメッセージ又はインフォメーションサービスが選択されて、回転つまみ３が押し込まれると、第６図Ｂに示すように、各メッセージのうちの１８文字がメッセージの一覧として表示される。これらのメッセージの一覧は、最新のメッセージが最上段となるように配置される。また、各メッセージには、「未読」、「既読」、「ロック」等を示すシンボル７１〜７４が付加される。
次に、回転つまみ３が回転され、メッセージの一覧の中から所望のメッセージが選択される。選択されたメッセージは、ハイライトで表示される。メッセージが選択されたら、回転つまみ３が押し込まれる。所望のメッセージが選択されて回転つまみ３が押し込まれると、第６図Ｃに示すように、選択されたメッセージの文字が表示される。
このメッセージの表示中に、下向き矢印の指示マーク５７が表示されている場合には、この指示マーク５７は、更に下方にメッセージが続いていることを示している。回転つまみ３を回転させると、この下に続くメッセージを表示される。メッセージの表示中に、上向き矢印表示の指示マーク５６が表示されていたら、更に上にメッセージが続いていることを示している。回転つまみ３を上向きに回転させると、この上に続くメッセージが表示される。
第６図Ｃに示すようなメッセージの表示が行なわれた後に、エスケープキー４が１回押されると、第６図Ｂに示すメッセージの一覧表示画面に戻される。このメッセージの一覧選択画面で、他のメッセージを選択することができる。エスケープキー４が２回押されると、第６図Ａに示すメインメニューに戻される。
また、この発明が適用されたページャー１には、メモ機能が備えられている。メモ機能は、電話番号や名前の文字や数字をメモとして第４図におけるメモリ１５に保存しておく機能である。文字データは、第４図におけるＲＯＭ２０に蓄えられている。このＲＯＭ２０に蓄えられている文字データは、例えば、４つの文字グループからなる。
文字を入力の際には、１つの文字グループ内の文字が表示される。ユーザは、この文字グループ内の文字から目的の文字を回転つまみ３を用いて選択する。目的とする文字がその文字グループ内にない場合には、次の文字グループに切り換えられる。
この文字グループの切り換えは、文字グループ内にソフトキーとして割り当てられている矢印のマークを選択することにより行なえる。文字グループを切り換えると、次の文字グループ内の文字が表示される。ユーザは、この文字グループの文字から目的の文字を回転つまみ３を用いて選択する。目的とする文字がその文字グループ内にない場合には、更に次の文字グループに切り換えられる。
このように、文字グループの切り換えも、文字グループ内にソフトキーとして割り当てられている矢印のマークを選択することにより行なえる。したがって、文字の入力のためのキーやボタンを増設する必要はなく、回転つまみ３の操作だけで、文字の入力を行なえる。
つまり、メモ機能を使用するときには、第７図Ａに示すように、スタンバイモードの間に、回転つまみ３が回転され、ファンクションメニュー（FUNCTION MENU）が選択され、回転つまみ３が押し込まれる。ファンクションメニューが選択されて、回転つまみ３が押し込まれると、第７図Ｂに示すように、ファンションメニューが表示される。更に、このファンクションメニューの画面で、回転つまみ３が回転され、メモ〔MEMO）が選択され、回転つまみ３が押し込まれる。メモが選択されて回転つまみ３が押し込まれると、第７図Ｃに示すような、メモ機能画面が表示される。
第７図Ｃに示すメモ機能画面は、新規にメモを作成する場合と、メモを検索する場合との選択画面である。
新規にメモを作成する場合には、回転つまみ３が回転されて、ニュー（NEW）が選択され、回転つまみ３が押し込まれる。ニューが選択されて、回転つまみ３が押し込まれると、第７図Ｄに示すようなメモの入力画面となる。
メモの入力画面中には、第７図Ｄに示すように、文字入力領域７１と、文字グループ領域７２とが設けられる。文字入力領域７１は、メモの入力、編集するための領域である。この例では、文字入力領域７１として、２ライン分の領域が確保されている。この文字入力領域７１には、文字入力位置を示すカーソル７３が表示される。
文字グループ領域７２には、入力する文字を選択するための複数の文字からなる文字グループが表示される。この例では、文字グループ２１として、第８図に示すように、文字グループ２１ａ〜２１ｄの４つの文字グループが用意されている。文字グループ２１ａはアルファベットの大文字の文字グループであり、文字グループ２１ｂはアルファベットの小文字の文字グループであり、文字グループ２１ｃは数字や記号の文字グループであり、文字グループ２１ｄは絵記号の文字グループである。
また、第８図に示すように、文字グループ領域７２に表示される文字グループ２１ａ〜２１ｄの文字の中には、特殊な意味を持つマーク２３ａ及び２３ｂ、２４ａ〜２４ｄ、２５、２６、２７が含まれている。
マーク２３ａ及び２３ｂは、文字グループ２１を切り換えるためのソフトキーとして機能するものであり、これらは、矢印の形状とされている。回転つまみ３を回転させて、マーク２３ａを選択して、回転つまみ３を押し込むと、文字グループ２１ａ→２１ｄ→２１ｃ→２１ｂの順番で文字グループ領域７２に表示される文字グループ２１が切り換えられる。また、回転つまみ３を回転させて、マーク２３ｂを選択して、回転つまみ３を押し込むと、文字グループ２１ａ→２１ｂ→２１ｃ→２１ｄの順番で文字グループ２１が切り換えられる。
マーク２４ａ〜２４ｄは、カーソル７３を移動させるためのソフトキーとして機能するものであり、これらは、前後左右の矢印の形状とされている。回転つまみ３を回転させて、マーク２４ａ〜２４ｄを選択して、回転つまみ３を押し込むと、文字入力領域７１のカーソル７３が前後左右に移動される。
マーク２５はスペースキーを示すソフトキーとして機能し、マーク２６は削除キーを示すソフトキーとして機能し、マーク２７は挿入キーを示すソフトキーとして機能し、マーク２８はエンターキーを示すソフトキーとして機能する。
文字を入力する場合には、回転つまみ３が回転され、文字グループ領域７２に表示されている文字グループの中から、所望の文字が選択される。選択された文字はハイライトで表示される。
すなわち、第４図において、回転つまみ３と関連して、ロータリーエンコーダ１８およびスイッチ１９が設けられる。回転つまみ３を回動させ、その回転つまみ３の回動に応じて、ロータリーエンコーダ１８が回転する。このロータリーエンコーダ１８の出力は、マイクロコンピュータ１４へ供給される。マイクロコンピュータ１４は、ロータリーエンコーダ１８の出力に応じて、文字データが収められているＲＯＭ２０のアドレスを制御し、文字グループ２１内のポインタ２２を移動させる。このとき、回転つまみ３の回動する方向に合わせて、選択している文字を示すポインタ２２が移動する。
例えば、文字グループ２１ａの「Ｇ」の位置にポインタ２２がある場合、回転つまみ３を所定の一方向に回動させると、ポインタ２２は、「Ｇ」→「Ｈ」→「Ｉ」→・・・と順番に移動し、回転つまみ３を所定の一方向と逆の方向に回動させると、ポインタ２２は、「Ｇ」→「Ｆ」→「Ｅ」→・・・と順番に移動する。
回転つまみ３により文字グループ領域７２の中から文字が選択され、回転つまみ３が押し込まれると、その文字が文字入力領域７１のカーソル７３の位置に入力される。そして、カーソル７３が１つ進められる。このように、回転つまみ３を回転させて、文字グループ領域７２に表示されている文字グループ２１の文字の中から所望の文字を選択して、回転つまみ３を押し込むことにより、文字入力領域７１に文字が入力されていく。
その文字グループにない文字を入力させたい場合には、矢印の形状とされているマーク２３ａや２３ｂが選択される。これにより、文字グループ２１ａ→２１ｄ→２１ｃ→２１ｂや２１ａ→２１ｂ→２１ｃ→２１ｄの順に、文字グループ領域７２に表示される文字グループ２１を切り換えることができる。そして、文字グループを切り換えて、上述と同様にして、文字グループ領域７２に表示されている文字の中から所望の文字を選択して、回転つまみ３を押し込むことにより、文字入力領域７１に文字が入力される。
なお、上述の例では、メモ機能を利用するために文字入力を行なっているが、メモとして残しておいて文字データをメッセージとして送信できるようにしても良い。
例えば、メモリ１５に記録されたメッセージを送信する場合には、文字データは、電話で使用される各数字（０１２３４５６７８９０＊＃）に対応させたコードに各文字が変換され、デュアルトーンとして、出力部１６のスピーカから出力される。
具体的には、送信先（相手先）にダイヤルした後、スピーカを電話機の受話器の送話口に接近させておくと、スピーカから出力されたデュアルトーンの音声が電話回線を介してページャー会社に送られる。ページャー会社は、送られてきた音声信号を送信所から電波に乗せて送信する。これにより送信先のページャーにて受信され、そのディスプレイに送られてきたメッセージが表示される。
また、この一実施例では、ページャーに適用した例で説明したが、これに限らず携帯電話、ネットワークのアクセス機能などが施された通信端末に適用することも可能である。
この一実施例では、文字グループ２１に表示されるマーク２３ａおよび２３ｂにより文字グループを前後に切り換えるようにしているが、次の文字グループのみに切り換えるための１つのキーを設けても良い。
また、この一例では、アルファベットの大文字、小文字、数字および特殊記号が文字グループとして用いられているが、これらの文字グループに加えて、カタカナ、ひらがなおよび漢字の文字グループを用意しても良い。
以上のように、この発明によれば、ディスプレイ２の文字グループ領域７２に文字グループ２１が表示され、その文字グループ２１の中には、文字グループを切り換えるためのマーク２３ａ、２３ｂがソフトキーとして表示される。このため、ロータリーエンコーダ３からなる回転つまみの回転動作によって、文字グループ２１の文字の中からそのマーク２３ａ、２３ｂを選択し、押し込み動作によって、文字グループ２１の切り換えを行うことができる。したがって、ボタンやキーを増加させる必要がなく、回転つまみ３だけで文字入力を行なうことができ、操作性の向上が図れる。
産業上の利用可能性
以上のように、この発明にかかる携帯端末装置並びにこのような携帯端末装置の文字入力に用いて好適な文字選択入力装置及び文字選択入力方法は、ページャーの文字入力に用いて好適なものである。
【図１】
0004114207.tif 000002
【図２】
0004114207.tif 000003
【図３Ａ】
0004114207.tif 000004
【図３Ｂ】
0004114207.tif 000005
【図４】
0004114207.tif 000006
【図５Ａ】
0004114207.tif 000007
【図５Ｂ】
0004114207.tif 000008
【図６Ａ】
0004114207.tif 000009
【図６Ｂ】
0004114207.tif 000010
【図６Ｃ】
0004114207.tif 000011
【図７Ａ】
0004114207.tif 000012
【図７Ｂ】
0004114207.tif 000013
【図７Ｃ】
0004114207.tif 000014
【図７Ｄ】
0004114207.tif 000015
【図７Ｅ】
0004114207.tif 000016
【図８】
0004114207.tif 000017
0004114207.tif 000018